(57)【要約】【課題】車両（２）の車両通信ネットワーク（１）内における加入者（Ｔ１，Ｔ２，Ｔ３，Ｔ４，Ｔ５，Ｔ６）間でのデータ伝送のための方法であって、車両通信ネットワーク（１）の少なくとも１つの加入者（Ｔ１）は、車両（２）内に配置された車両加入者である、方法に関する。【解決手段】車両通信ネットワーク（１）の１つの加入者（Ｔ１）は、車両通信ネットワーク（１）の通知マネージャであるか、または、通知マネージャを提供し、車両通信ネットワーク（１）の通知側の加入者（Ｔ２，Ｔ６）は、通知マネージャに通知データ（ＮＤ）を伝送し、通知マネージャは、通知データ（ＮＤ）の少なくとも一部を、車両通信ネットワーク（１）の少なくとも１つの被通知側の加入者（Ｔ３，Ｔ４，Ｔ５，Ｔ６）に伝送することを特徴とする。【選択図】図１
2018207489.tif 000002
【特許請求の範囲】
【請求項１】
車両（２）の車両通信ネットワーク（１）内における加入者（Ｔ１，Ｔ２，Ｔ３，Ｔ４，Ｔ５，Ｔ６）間でのデータ伝送のための方法であって、
前記車両通信ネットワーク（１）の少なくとも１つの加入者（Ｔ１）は、前記車両（２）内に配置された車両加入者である、
方法において、
前記車両通信ネットワーク（１）の１つの加入者（Ｔ１）は、前記車両通信ネットワーク（１）の通知マネージャであるか、または、通知マネージャを提供し、
前記車両通信ネットワーク（１）の通知側の加入者（Ｔ２，Ｔ６）は、前記通知マネージャに通知データ（ＮＤ）を伝送し、
前記通知マネージャは、前記通知データ（ＮＤ）の少なくとも一部を、前記車両通信ネットワーク（１）の少なくとも１つの被通知側の加入者（Ｔ３，Ｔ４，Ｔ５，Ｔ６）に伝送する
ことを特徴とする、方法。
【請求項２】
前記被通知側の加入者（Ｔ３，．．．，Ｔ６）は、前記通知データ（ＮＤ）において符号化されている情報の少なくとも一部の、ユーザへの出力を実施する、
請求項１記載の方法。
【請求項３】
前記通知データ（ＮＤ）は、少なくとも１つのサービスアドレスに関する情報を符号化し、前記サービスアドレスの下で、加入者（Ｔ２）によって提供されるサービスを呼び出すことができる、
請求項１または２記載の方法。
【請求項４】
前記通知データ（ＮＤ）は、少なくとも１つの通知反応に関する情報を符号化し、
前記通知反応には、前記車両通信ネットワーク（１）の加入者（Ｔ２）によって提供される少なくとも１つのサービスが対応付けられている、
請求項１から３までのいずれか１項記載の方法。
【請求項５】
ユーザ反応を検出し、加入者（Ｔ２）によって提供される少なくとも１つの反応固有のサービスを呼び出す、
請求項４記載の方法。
【請求項６】
前記通知データ（ＮＤ）は、通知反応に関する情報を符号化しない、
請求項１から３までのいずれか１項記載の方法。
【請求項７】
前記通知データ（ＮＤ）を、データオブジェクトの形態で伝送する、
請求項１から６までのいずれか１項記載の方法。
【請求項８】
前記通知マネージャは、選択された被通知側の加入者（Ｔ３，．．．，Ｔ６）のみに前記通知データ（ＮＤ）を伝送し、この際、前記被通知側の加入者の選択をフィルタリングによって実施する、
および／または、
前記通知マネージャは、被通知側の加入者（Ｔ３，Ｔ４，Ｔ５，Ｔ６）に、前記通知データ（ＮＤ）全体のうちの加入者固有の部分のみを伝送し、この際、伝送すべき前記加入者固有の部分の選択をフィルタリングによって実施する、
請求項１から７までのいずれか１項記載の方法。
【請求項９】
前記被通知側の加入者（Ｔ３，．．．，Ｔ６）の選択、および／または、前記通知データ（ＮＤ）のうちの前記加入者固有の部分の選択を、前記通知データ（ＮＤ）の形式および／または内容に基づいて実施する、
請求項８記載の方法。
【請求項１０】
前記被通知側の加入者（Ｔ３，．．．，Ｔ６）は、少なくとも１つのフィルタリング基準を前記通知マネージャに伝送する、
請求項８または９記載の方法。
【請求項１１】
前記車両通信ネットワーク（１）の加入者（Ｔ１，Ｔ２，Ｔ３，Ｔ４，Ｔ５，Ｔ６）間でのデータ伝送によって、ステートレス通信を実施する、
請求項１から１０までのいずれか１項記載の方法。
【請求項１２】
複数の加入者（Ｔ１，Ｔ２，Ｔ３，Ｔ４，Ｔ５，Ｔ６）を含む、車両通信ネットワーク（１）であって、
前記車両通信ネットワーク（１）の少なくとも１つの加入者（Ｔ１）は、車両（２）内に配置された車両加入者（Ｔ１）である、
車両通信ネットワーク（１）において、
前記車両通信ネットワーク（１）の１つの加入者（Ｔ１）は、前記車両通信ネットワーク（１）の通知マネージャであるか、または、通知マネージャを提供し、
前記車両通信ネットワーク（１）の通知側の加入者（Ｔ２，Ｔ６）によって、前記通知マネージャに通知データ（ＮＤ）を伝送することができ、
前記通知マネージャによって、前記通知データ（ＮＤ）の少なくとも一部を、前記車両通信ネットワーク（１）の少なくとも１つの被通知側の加入者（Ｔ３，．．．，Ｔ６）に伝送することができる
ことを特徴とする、車両通信ネットワーク（１）。
【請求項１３】
前記加入者（Ｔ１）は、前記車両通信ネットワーク（１）の通知マネージャであるか、または、通知マネージャを提供する、
請求項１２記載の車両通信ネットワーク（１）の加入者。
【請求項１４】
車両であって、
前記車両（２）は、請求項１２記載の車両通信ネットワーク（１）の少なくとも１つの車両加入者（Ｔ１）を含み、
前記車両加入者（Ｔ１）は、前記車両通信ネットワーク（１）の通知マネージャであるか、または、通知マネージャを提供する、
車両。
【発明の詳細な説明】
【技術分野】
【０００１】
本発明は、車両通信ネットワーク内におけるデータ伝送のための方法、車両通信ネットワーク、車両通信ネットワークの加入者、および、車両に関する。
【背景技術】
【０００２】
電子機器、制御技術および通信技術の進歩により、多くの種類の車両、特に自動車には、純粋な機械式または電気機械式の装備に加えて、多くの場合マルチメディア機器およびインフォテインメント機器を含む多数の制御装置が設けられているシステムが設けられている。これらの機器は、一般的に相互に通信する。このような通信コネクションを実装するために、特に種々のバスシステムおよび車載ネットワークシステムが知られており、このようなシステムは、例えば、デファクトスタンダードであるＣＡＮ（Controller Area Network）規格（ＩＳＯ  １１８９８）、ＦｌｅｘＲａｙ規格（ＩＳＯ  １７４５８−１〜１７４５８−５）、ＬＩＮ（Local Interconnect Network）規格、または自動車産業におけるマルチメディアおよびインフォテインメントネットワークのためのデファクトスタンダードであるＭＯＳＴ（Media Oriented Systems Transport）規格のような規格に準拠している。
【０００３】
これに加えて、コンピュータ技術およびネットワーク技術の分野からは、他の通信ネットワーク技術、特にイーサネット、およびデータパケット（ＩＰパケット）を用いた、インターネットの基礎となるＩＰ（Internet Protokoll）通信も知られている。この場合、インターネット技術は、特にいわゆるＲＦＣ規格において仕様が定められており、このＲＦＣ規格には、特にＲＦＣ２６６３規格、ＲＦＣ２７６６規格（ＮＡＴ：Network Address Translation）、およびＲＦＣ３０２２規格（ＰＡＴ−Port Address Translation）も所属しており、これらの規格は、複数の異なるネットワーク同士を接続するために、データパケットにおけるアドレス情報またはポート情報の自動的な変換の仕様を定めるものである。上述した規格およびプロトコル定義は、ＩＣＴ（情報通信技術）においてしばしば必要とされるような、高度に複雑かつ動的なコンピュータネットワークおよび通信ネットワークの必要性から生じる。
【０００４】
その一方では、イーサネットに基づいた通信技術の使用は、車両にも導入されている。その一例は、自動車製造業者のコンソーシアムによって開発された、“SOME/IP-Service Discovery”を含む“ＳＯＭＥ／ＩＰ”通信プロトコルであり、この“ＳＯＭＥ／ＩＰ”通信プロトコルは、ＡＵＴＯＳＡＲ規格（特にリリース４．１）にも採用されていたものであり、車両内におけるパケット・オーバー・イーサネットに基づいた車載通信のためのソリューションの仕様を定めるものである。この場合、イーサネット通信（ＯＳＩ／ＩＳＯレイヤモデルのレイヤ２）によって、ＴＣＰ／ＩＰパケット（ＯＳＩ／ＩＳＯレイヤモデルのレイヤ３およびレイヤ４）がＩＰ・オーバー・イーサネット通信の意味で伝送される。
【０００５】
さらに、不必要な新規開発を回避するために、従前モデルにおいて既に利用可能なシステムおよびソリューションを、新しいまたは後継の車両モデルの開発においてできるだけ利用することが知られている。しかしながら、新しい車両において、従前システムが対応していない追加的なオプションまたは通信コネクションが必要となる場合であって、従前システムをこのような追加的なオプションまたは通信コネクションにスケーリングの意味で簡単には拡張できない場合には、このような従前システムの再利用は失敗する可能性がある。
【０００６】
独国特許発明第１０２０１５２００９４７号明細書（DE 10 2015 200 947 B3）は、車両内、特に自動車内におけるパケット・オーバー・イーサネットに基づいた通信ネットワークのためのパケット交換装置に関する。
【０００７】
独国特許出願公開第１０２０１４２０１９５４号明細書（DE 10 2014 201 954 A1）は、少なくとも２つの加入者間でのデータ伝送のための方法と、通信ネットワークと、車両とに関し、前記加入者の少なくとも１つは、車両側の加入者として構成されており、前記少なくとも１つの車両側の加入者は、少なくとも１つの仮想マシンを提供するか、または、仮想マシンとして構成されており、少なくとも１つの別の加入者が、前記少なくとも１つの仮想マシンに永続的なデータを伝送する。
【０００８】
独国特許出願公開第１０２０１４２０１９４８号明細書（DE 10 2014 201 948 A1）は、車両内における少なくとも２つの加入者間でのデータ伝送のための方法と、通信ネットワークと、車両とに関し、第１の加入者が、クライアント−サーバ通信ネットワークにおけるサーバであり、少なくとも１つの別の加入者が、前記クライアント−サーバ通信ネットワークにおけるクライアントであり、前記データ伝送によって、前記第１の加入者と前記少なくとも１つの別の加入者との間でのステートレス通信が実施される。
【０００９】
本出願後に公開された独国特許出願公開第１０２０１６２２１９８５号明細書（DE 10 2016 221 985）は、車両の車両通信ネットワーク内における少なくとも２つの加入者間でのデータ伝送のための方法を開示しており、前記車両通信ネットワークの少なくとも１つの加入者は、前記車両内に配置された車両加入者である。
【００１０】
一般的に、車両通信ネットワークは、ユーザへの情報の出力、特に車両通信ネットワークの他の加入者によって提供された情報の出力を実施または制御する加入者も含む。そのような加入者を有する車両通信ネットワークにおける問題は、時間的に高速であってリソース効率的であり、かつ信頼性の高い、情報の出力である。
【先行技術文献】
【特許文献】
【００１１】
【特許文献１】独国特許発明第１０２０１５２００９４７号明細書
【特許文献２】独国特許出願公開第１０２０１４２０１９５４号明細書
【特許文献３】独国特許出願公開第１０２０１４２０１９４８号明細書
【特許文献４】独国特許出願公開第１０２０１６２２１９８５号明細書
【発明の概要】
【発明が解決しようとする課題】
【００１２】
したがって、時間的に高速であってリソース効率的であり、かつ信頼性の高い、ユーザへの情報の出力を可能にするような、車両通信ネットワーク内におけるデータ伝送のための方法、通信ネットワーク、そのような通信ネットワークの加入者、および車両を提供することが技術的課題である。
【課題を解決するための手段】
【００１３】
上記の技術的課題の解決策は、請求項１，１２，１３，および１４に記載の特徴を有する対象によってもたらされる。本発明のさらなる有利な実施形態は、従属請求項からもたらされる。
【００１４】
車両の車両通信ネットワーク内における少なくとも２つの加入者間でのデータ伝送のための方法が提案される。本発明の意味における車両は、陸上車両、船舶、航空機、または、人間および／または物資を輸送するための他の任意の車両とすることができる。車両は、好ましくは自動車、特にオートモービルである。
【００１５】
加入者は、特に車両の制御装置とすることができる。しかしながら、これに代えて、加入者を、車両外部の機器、例えば携帯電話、タブレットＰＣ等のような移動端末とすることも、または車両外部のコンピュータ装置、例えば車両外部のサーバ装置とすることも可能である。
【００１６】
前記車両通信ネットワークの少なくとも１つの加入者は、車両加入者である。この場合、車両加入者は、車両内に配置された加入者を意味する。特に、車両加入者を車両内に固定的に設置することができる。さらに特に、車両加入者を車両の制御装置とすることができる。
【００１７】
もちろん、車両通信ネットワークは、３つ以上の加入者を含むことができ、さらなる加入者を、車両加入者または車両外部の加入者とすることができる。
【００１８】
車両通信ネットワークの加入者を、車両通信ネットワーク内におけるサーバまたはクライアントとすることができる。しかしながら、加入者は、サーバまたはクライアントの機能に持続的に固定されているわけではない。したがって、加入者は、１つまたは複数のデータ伝送プロセスのためにサーバを提供することが可能であり、また、これとは別の１つまたは複数のデータ伝送プロセスのためにクライアントを提供することが可能である。
【００１９】
この場合、サーバとは、Serviceとも記す１つまたは複数のサービスを準備または提供する加入者を意味することができる。例えば、サーバは、車両通信ネットワークを介して車両の速度に関する情報を提供するサービスを供給することができる。また、サービスとして、車両通信ネットワークを介してエンジン温度に関する情報を提供することもできる。また、サービスとして、車両通信ネットワークを介してオーディオ情報の再生音量の変更を提供することもできる。また、サービスとして、現在再生中のオーディオ情報の出力の一時停止または停止を提供することもできる。この場合、上で説明したサービスは、単なる例示である。もちろん、さらに多数の別のサービスを、サーバによって車両通信ネットワークを介して提供することができる。このようなサービスは、当業者にはもちろん周知である。
【００２０】
サービスを、特にサーバを提供し、かつクライアントを利用することが可能な、固定された機能とすることができる。サービスは、特に場所に関係なく利用することができる。好ましくは、サービスを利用するクライアントが、サービスを利用／実行するためにサービスの実現に関する情報を必要としないように、サービスが提供される。このことによって、サービスの利用とサービスの実現との間の依存関係が低減されまたは完全に除去される。サービスのインターフェースを、特に上位互換性および下位互換性を有するように構成することができる。サービスの利用時には、特に、良好な保守性および再利用性を目的として、通信のための確立した規格を使用することができる。さらに、サービスをオペレーションと呼ぶことができるか、または、サービスの実施時に少なくとも１つのオペレーションを実施することができる。
【００２１】
クライアントは、供給または提供されたサービスを利用する加入者を意味することができる。
【００２２】
車両通信ネットワークを、特にイーサネットに基づいた通信ネットワークとすることができる。このような通信ネットワークでは、通信ネットワークを介して加入者間でデータパケットが伝送されるようなデータ伝送を実施することができる。加入者は、対応するイーサネット・インターフェースを有することができる。この場合、データ伝送を、既知の伝送プロトコルに従って実施することができる。
【００２３】
この場合、加入者は、データ伝送を制御するための、および応答または応答に含まれた情報を評価するための、制御および評価装置を含むことができる。このような制御および評価装置は、例えばマイクロコントローラによって提供することができる。
【００２４】
伝送すべきデータ、特にデータパケットは、宛先アドレス指定を含むことができ、この宛先アドレス指定は、特にただ１つの宛先をアドレス指定することによって与えられうる。さらに、伝送すべきデータ、特にデータパケットは、送信元アドレス指定を含むことができる。この場合、ネットワーク内における宛先および送信元のアドレス指定は、特に、それぞれ宛先ノードまたは送信元ノードに関する対応するイーサネットアドレス／ネットワークアドレス／ポートの組み合わせを用いて実施することができる。ＯＳＩ／ＩＳＯレイヤモデルでは、一般的に、イーサネットアドレス（すなわち“Ethernet MAC （Media Access Control）”アドレス）をレイヤ２に対応付けることができ、ネットワークアドレス（例えばＩＰアドレス）をレイヤ３に対応付けることができ、ポート（例えばＴＣＰポートまたはＵＤＰポート）をレイヤ４に対応付けることができる。本発明の意味における“イーサネットアドレス／ネットワークアドレス／ポートの組み合わせ”とは、イーサネットアドレス／ネットワークアドレス（例えばＩＰアドレス）と、対応付けられたポートとを統合したものであると理解することができる。したがって、宛先イーサネットアドレス／ネットワークアドレス／ポートの組み合わせには、データにおいて指定された宛先イーサネットアドレスと、宛先ネットワークアドレスと、対応付けられた宛先ポートとが含まれる。同様にして、送信元イーサネットアドレス／ネットワークアドレス／ポートの組み合わせには、データにおいて指定された送信元イーサネットアドレスと、送信元ネットワークアドレスと、対応付けられた送信元ポートとが含まれる。このようなイーサネットアドレス／ネットワークアドレス／ポートの組み合わせに基づいて、車両通信ネットワーク内におけるデータの中継を実施することができる。
【００２５】
本発明の意味における“ポート”とは、送信側加入者または受信側加入者においてリンクおよびデータをサーバプログラムおよびクライアントプログラムに対応付けるためにネットワークアドレスに追加されたものあると理解されるべきである。したがって、これによって例えば、送信者の同じ１つのネットワークアドレス（例えばＩＰアドレス）から受信者のただ１つのネットワークアドレスに、２つのサービスのデータが伝送されるにもかかわらず、１つのサーバによって提供される複数の異なるサービスに対するデータを、１つの受信者（クライアント）に提供することが可能となり、そこで、サービスに関連した対応するアプリケーションに別個に対応付けることが可能となる。すなわち、サービスを、複数の異なるポートを介して同一のイーサネットアドレス／ネットワークアドレス、例えばＭＡＣ／ＩＰアドレスに提供することができる。
【００２６】
本発明の意味における“イーサネット・インターフェース”とは、少なくとも１つの他の技術的エンティティとのイーサネット通信コネクションを提供することができる技術的エンティティの装置であると理解すべきである。このような技術的エンティティは、例えばイーサネット通信ネットワーク内のネットワークノードとすることができる。特にイーサネット・インターフェースは、イーサネット伝送のための線路、特に規格化されたイーサネット線路に接続させるための接続装置を物理的に有することができる。さらに、通信インターフェースは、データ処理または加工のための手段を有することができ、この手段を用いてデータまたは他の情報を、伝送側では所定の方式で伝送することができ、または受信側ではイーサネット通信の標準化された要件に従って処理することができる。
【００２７】
本発明の意味における“車両”とは、１つまたは複数の人間および／または貨物を輸送することができる任意の種類の車両であると理解すべきである。特に、乗用車（ＰＫＷ）、トラック（ＬＫＷ）、自動二輪車、バス、自転車、または上述した車両のうちの１つに付属する連結車は、本発明の意味における車両である。このことは、特に列車ユニットおよび列車の連結車にも、船舶にも、または航空機、特に飛行機にも当てはまる。
【００２８】
本発明の意味における“コンフィギュレーションされた”とは、対応する装置が、特定の機能を果たすように既に調整されていることであると理解すべきである。これを拡大して“コンフィギュレーション可能である”とは、対応する装置が、相応の調整時に、特定の機能を果たすように調整可能であることであると理解すべきである。この場合、コンフィギュレーションは、例えば、機能または設定をアクティブまたは非アクティブにするためのプロセスシーケンスのパラメータまたはスイッチ等を相応に調整することによって実施することができる。
【００２９】
本発明によれば、前記車両通信ネットワークの１つの加入者は、前記車両通信ネットワークの通知マネージャであるか、または、通知マネージャを提供する。通知マネージャを、通知サーバと呼ぶこともできる。すなわち、通知マネージャを提供または構成するために、車両加入者がサーバの機能を実施することができる。
【００３０】
好ましくは、前記車両加入者が、車両通信ネットワークの通知マネージャであるか、または、通知マネージャを提供する。
【００３１】
この場合、通知マネージャは、通知データを受信し、さらに伝送し、特に配信するために使用される。この場合、通知データは、車両通信ネットワークのユーザに出力可能な情報を符号化しているデータを含む。しかしながら、通知データは、そのようなデータに加えて、必ずしもユーザに出力する必要がない、またはユーザに出力することができない情報を符号化したものを含むこともできる。
【００３２】
車両通信ネットワークのユーザは、特に車両乗員、例えば車両運転者とすることができるが、車両運転者とは異なる車両乗員とすることもできる。しかしながら、車両通信ネットワークのユーザを、車両内に存在していないユーザとすることも可能である。
【００３３】
本開示の意味における“出力可能”とは、例えば少なくとも１つの適切な出力装置によってユーザに情報を伝送することが可能であることであると理解すべきである。この場合、例えば視覚的に、すなわち光学的に、または音響的に、触覚的に、もしくは任意の他の適切な形態で、情報を出力することができる。例えば、車両の表示装置に、例えばヘッドアップディスプレイ、ヘッドユニット、コンビネーションメーター、センターディスプレイに、またはインフォテインメントシステムの表示装置に内容を表示することができる。しかしながら、車両に固定的に設置されていない加入者の表示装置に、例えば携帯電話に内容を表示することも可能である。少なくとも１つのスピーカを介して内容を音響的に出力することも可能である。
【００３４】
この場合、前記車両通信ネットワークの通知側の加入者は、前記通知マネージャに通知データを伝送する。さらに、通知データは、さらなる情報を符号化することができる。さらに、前記通知マネージャは、前記通知側の加入者によって伝送された前記通知データの少なくとも一部を、好ましくは全ての通知データを、前記車両通信ネットワークの少なくとも１つの被通知側の加入者に、しかしながら好ましくは複数の被通知側の加入者に伝送する。
【００３５】
この場合、車両通信ネットワークの通知側の加入者は、通知データを生成することができる。通知マネージャに伝送した後、これらの通知データを、特に所定の期間にわたって通知マネージャによって呼び出し可能に保存することができる。これらの通知データは、所定の時間が経過した後、通知マネージャによって削除することができる。通知マネージャが、例えば加入者による通知データの処理の完了を検出した場合に、これらの通知データを通知マネージャによって削除するようにすることも可能である。例えば、通知マネージャによって保存された通知オブジェクトの対応するプロパティ、特に以下でさらに説明するプロパティ“selectedAction”が既にセットされている場合に、処理の完了を検出することができる。このプロパティは、例えば、処理の完了を実施する加入者によってセットすることができる。
【００３６】
通知マネージャは、被通知側の加入者への通知データの伝送を、当該被通知側の加入者が通知データの受信者として通知マネージャに登録されている場合にのみ実施することが可能である。すなわち、この場合、通知データの伝送前に登録を実施しておくことができる。この場合、通知マネージャは、被通知側の各加入者に一義的な識別子を対応付けることができる。通知マネージャは、通知側の加入者にも一義的な識別子を対応付けることが可能である。
【００３７】
特に、この登録は、被通知側の加入者または通知側の加入者が車両通信ネットワークにログインしたとき、および／または、車両通信ネットワークが構築されたときに、実施することができる。登録が行われると、例えば通知マネージャによって、被通知側の加入者または通知側の加入者に加入者固有のアドレスを割り当てることができる。その後、これらの加入者固有のアドレスを、データ、特に通知データを伝送するために利用することができる。
【００３８】
通知側の加入者を登録する際には、例えば、以下により詳細に説明される発行者オブジェクトを生成することができる。
【００３９】
この場合、通知マネージャから被通知側の加入者への通知データの伝送は、特に伝送が可能になるとすぐに直接的に実施することができる。この場合には、特に、通知データの伝送の個別の問い合わせまたはイネーブルは必要ない。しかしながら、通知マネージャによって受信され、場合によっては保存された通知データの伝送を、この伝送が被通知側の加入者によって問い合わせまたはイネーブルされた場合にのみ実施することも考えられる。したがって、例えば、被通知側の加入者が、通知データの有無、特に被通知側の加入者にまだ伝送されていない通知データの有無を通知マネージャに繰り返し問い合わせすること、および／または、通知マネージャが、通知データの有無、特にまだ伝送していない通知データの有無に関する情報を被通知側の加入者に伝送することが考えられ、この場合、被通知側の加入者は、通知マネージャに通知データを問い合わせすべきかどうか、またいつ問い合わせすべきかを決定する。
【００４０】
したがって要約すると、通知マネージャは、通知データによって符号化された情報の、ユーザへの出力を少なくとも部分的に実施または制御することができる車両通信ネットワークの加入者のために、通知データを収集および提供するために使用される。したがって、被通知側の加入者は、通知データによって符号化された出力可能な情報の、ユーザへの出力を少なくとも部分的に実施または制御することができる加入者である。
【００４１】
符号化された情報の出力は、加入者固有に実施することができる。特に、出力の種類、例えば音響的、光学的、または触覚的な出力を加入者によって設定することができる。通知データによって符号化された情報全体を出力するか、または、これらの情報のうちの一部のみ、特に加入者固有の部分のみを出力するかを設定することもできる。
【００４２】
しかしながら、この場合、通知マネージャは、それぞれの被通知側の加入者に同一の通知データ、特に同一の内容を有する通知データを伝送することができる。換言すれば、通知マネージャによる通知データのフィルタリング、処理、または適合は実施されない。
【００４３】
これによって有利には、車両通信ネットワーク内における通知データの、省リソースで、時間的に高速で、かつ信頼性の高い伝送がもたらされ、この伝送によって、通知データにおいて符号化された出力可能な情報の、車両通信ネットワークのユーザへの信頼性の高い適切な出力も保証されることとなる。
【００４４】
さらなる実施形態では、前記被通知側の加入者は、前記通知データにおいて符号化されている情報の少なくとも一部の、ユーザへの出力を実施する。したがって、被通知側の加入者は、いわゆる出力能力を有する加入者である。この出力は、再生の形態で、例えばグラフィカルまたは音響的な再生の形態で実施することができる。
【００４５】
したがって、複数の相互に異なる被通知側の加入者は、各自に伝送されてきた通知データの同一の出力可能な内容を、それぞれ異なる形態で出力することができる。これに代えてまたはこれに加えて、これらのそれぞれ異なる加入者が、出力可能な内容のうちのそれぞれ異なる部分、例えば画像内容またはテキスト内容またはオーディオ内容を出力することも可能である。
【００４６】
全ての被通知側の加入者に、同一の通知データを伝送することが可能である。しかしながら、特定の複数の相互に異なる被通知側の加入者に、通知データのそれぞれ異なる部分を伝送することも可能である。したがって例えば、被通知側の加入者に、通知データの加入者固有の部分のみを伝送し、必ずしも全ての通知データを伝送しないようにすることができる。これにより、通知データのそれぞれ異なる部分を、それぞれ異なる加入者に伝送することが可能となる。対応するフィルタリングについては、以下により詳細に説明する。
【００４７】
これによって有利には、情報の、車両通信ネットワークのユーザへのそれぞれ異なる加入者に適合された信頼性の高い出力がもたらされる。
【００４８】
さらなる実施形態では、前記通知データは、少なくとも１つのサービスアドレスに関する情報を符号化し、符号化された前記サービスアドレスの下で、加入者によって提供されるサービスを呼び出すことができる。この加入者を、特に通知側の加入者とすることができる。しかしながら、サービスアドレスを、被通知側の加入者とは異なる加入者のアドレスとすることも可能である。サービスアドレスを、ＵＲＩの形態で表すことができる。この場合、サービスアドレスを、アクションオブジェクトのプロパティとすることができる。これについては、以下により詳細に説明する。
【００４９】
例えば、通知側の加入者は、車両通信ネットワーク内におけるサービス、例えばオーディオ内容の再生に関する一時停止サービス、再生サービス、および停止サービスを提供することができる。その場合、サービスアドレスは、例えばオーディオ再生を一時停止、再生、または停止するための信号を、特に要求の形態で伝送するときの伝送先となるアドレスとすることができる。これによって有利には、車両通信ネットワーク内におけるサービスの時間的に高速で効率的な制御および実施がもたらされる。
【００５０】
さらなる実施形態では、前記通知データは、少なくとも１つの通知反応に関する情報を符号化する。この情報も出力することができる。通知反応は、特に、対応するユーザ入力またはユーザ操作が実施された場合に、車両通信ネットワークの少なくとも１つの加入者によって実施可能であるアクションとすることができる。この場合、このアクションを、出力された通知データの内容に対する反応として実施することができる。したがって、通知反応を、通知データの出力可能な内容に関連させることができる。例えばアクションによって、上述したオーディオ再生の一時停止、再生、または停止を引き起こすことができる。
【００５１】
さらに、前記通知反応には、前記車両通信ネットワークの加入者によって提供される少なくとも１つのサービスが対応付けられている。この加入者を、ここでも通知側の加入者または通知側の加入者とは異なる加入者とすることができる。特に、通知反応には、通知データによって符号化される上述したサービスアドレスを対応付けることができる。通知反応に関する情報を、例えば通知オブジェクトのプロパティとして、例えばアクションとして符号化することができる。このプロパティは、例えばアクションオブジェクトとして符号化されることができるか、または、アクションオブジェクトを参照させることができる。
【００５２】
通知データが、少なくとも１つのサービスアドレスまたは少なくとも１つの通知反応に関する情報を符号化している場合には、これらの通知データを、インタラクティブ通知データと呼ぶこともできる。
【００５３】
この場合には、被通知側の加入者によって、通知反応に関する情報の出力を実施または制御することも可能である。例えばユーザに対して、一時停止記号、再生記号（プレイ記号）、または停止記号を出力すること、特に表示することができる。これらの記号を、操作要素に、例えばキーに、またはタッチスクリーンの所定の領域に対応付けることができる。これにより、対応する操作要素を操作することによって記号が表している通知反応を実施可能であることをユーザに伝え、ユーザはこれを認識することができる。
【００５４】
さらなる実施形態では、ユーザ反応が検出され、ユーザ反応が検出されると、加入者、特に通知側の加入者または通知側の加入者とは異なる加入者によって提供される少なくとも１つの反応固有のサービスが呼び出される。ユーザ反応は、例えばユーザがその反応に対応付けられた操作要素を操作した場合に検出することができる。これについては、既に上述した。ユーザ反応を、その反応に対応付けられたユーザの音声命令が検出された場合に検出することもできる。この場合には、特に通知側の加入者によって、通知データにおいて符号化されたサービスアドレスの下で提供されるサービスを呼び出すことができる。
【００５５】
これによって有利には、車両通信ネットワーク内において提供されるサービスの、信頼性の高い、時間的に高速な情報および実施がもたらされる。
【００５６】
さらなる実施形態では、前記通知データは、通知反応に関する情報を符号化しない。この場合には、これらの通知データを、パッシブ通知データと呼ぶこともできる。特に、この場合には、通知データは、加入者によって提供されるサービスを呼び出すことができるサービスアドレスに関する情報も符号化することができない。換言すれば、パッシブ通知データは、ユーザ反応を必要とすることなくユーザに出力されるべき情報のみを符号化することができる。これらの情報を、純粋にインフォマティブな情報と呼ぶこともできる。このような通知データは、例えばテキストメッセージの内容を符号化することができ、このテキストメッセージの内容を移動無線機器によって受信し、車両の表示装置に表示すべきである。
【００５７】
これによって有利には、通知データに対する反応が必要とされない場合に、伝送すべきデータ量の減少がもたらされる。
【００５８】
好ましい実施形態では、前記通知データが、データオブジェクトの形で伝送される。通知データを伝送するためのデータオブジェクトを、通知オブジェクトと呼ぶこともできる。この場合、通知マネージャは、通知オブジェクトを管理することができる。
【００５９】
通知オブジェクトは、表１に列挙されたプロパティのうちの１つ、複数、または全てを有することができる。しかしながらもちろん、通知オブジェクトは、さらに別のおよび／または代替的なプロパティを有することも可能である。
【表１】
2018207489.tif 000003
【００６０】
通知オブジェクトには、例えばＧｅｔオペレーションによってアクセスすることができる。通知オブジェクトは、例えばＰｏｓｔオペレーションによって作成することができる。この場合、通知オブジェクトへのアクセスおよび通知オブジェクトの作成は、いわゆるリソースレベルで実施することができる。この場合、アクセスおよび作成を、通知マネージャによって実施可能にすることができる。しかしながら、車両通信ネットワークの他の加入者も、通知オブジェクトにアクセスすること、または通知オブジェクトを作成することができる。通知オブジェクトを作成するためには、以下に挙げるプロパティのうちの１つ、複数、または全ての指定を必須とすることができる：badge，content，creationTime，defaultAction，dismissAction，eventTime，icon，isUrgent，issuer，listConent，name，priority，progress，requireInteraction，selectedAction，state，voicePrompt。
【００６１】
通知オブジェクトのプロパティには、例えばＧｅｔオペレーションによってアクセスすることができる。通知オブジェクトのプロパティは、例えばＰｏｓｔオペレーションによって変更または作成することができる。通知オブジェクトのプロパティは、例えばＤｅｌｅｔｅオペレーションによって削除することができる。このために、通知オブジェクトを、通知オブジェクトのＵＵＩＤ（universally unique identifier）によってアドレス指定することができる。
【００６２】
この場合、通知オブジェクトのプロパティへのアクセス、通知オブジェクトのプロパティの作成／変更、および／または、削除は、いわゆる要素レベルで実施することができる。この場合、アクセス、作成／変更、および／または、削除を、通知マネージャによって実施可能にすることができる。しかしながら、車両通信ネットワークの他の加入者も、通知オブジェクトのプロパティにアクセスすること、または通知オブジェクトのプロパティを作成または変更または削除することができる。通知オブジェクトのプロパティを作成または変更するためには、以下に挙げるプロパティのうちの一方または両方の指定を必須とすることができる：progress，state。
【００６３】
本提案の方法を実施するために、車両通信ネットワークの加入者は、アクションオブジェクトの形態で、発行者オブジェクトの形態で、またはホワイトリストオブジェクトの形態で、データを伝送することもできる。
【００６４】
この場合、アクションオブジェクトは、アクションのプロパティに関する情報、特にユーザ反応に関する情報を符号化する。この場合、発行者オブジェクトは、加入者、通知データ、または通知オブジェクトに関する情報を符号化する。これらは、通知側の加入者に相当しうる。この場合、ホワイトリストオブジェクトは、被通知側の加入者に伝送すべき通知データまたは通知オブジェクトを有する通知側の加入者に関する情報を符号化する。
【００６５】
この場合、通知マネージャは、アクションオブジェクトおよび／または発行者オブジェクトおよび／またはホワイトリストオブジェクトを管理することができる。
【００６６】
アクションオブジェクトは、表２に列挙リストされたプロパティのうちの１つ、複数、または全てを有することができる。しかしながらもちろん、アクションオブジェクトは、さらに別のおよび／または代替的なプロパティを有することも可能である。
【表２】
2018207489.tif 000004
【００６７】
アクションオブジェクトには、例えばＧｅｔオペレーションによってアクセスすることができる。アクションオブジェクトは、例えばＰｏｓｔオペレーションによって作成することができる。この場合、アクションオブジェクトへのアクセスおよびアクションオブジェクトの作成は、リソースレベルで実施することができる。この場合、アクセスおよび作成を、通知マネージャによって実施可能にすることができる。しかしながら、車両通信ネットワークの他の加入者も、アクションオブジェクトにアクセスすること、またはアクションオブジェクトを作成することができる。アクションオブジェクトを作成するためには、以下に挙げるプロパティのうちの１つ、複数、または全ての指定を必須とすることができる：callbackBody，callbackHeader，callbackMethod，callbackURI，icon，name。
【００６８】
アクションオブジェクトのプロパティには、例えばＧｅｔオペレーションによってアクセスすることができる。アクションオブジェクトのプロパティは、例えばＰｏｓｔオペレーションによって変更または作成することができる。アクションオブジェクトのプロパティは、例えばＤｅｌｅｔｅオペレーションによって削除することができる。このために、アクションオブジェクトを、ＵＵＩＤによってアドレス指定することができる。
【００６９】
この場合、アクションオブジェクトのプロパティへのアクセス、アクションオブジェクトのプロパティの作成／変更、および／または、削除は、いわゆる要素レベルで実施することができる。この場合、アクセス、作成／変更、および／または、削除を、通知マネージャによって実施可能にすることができる。しかしながら、車両通信ネットワークの他の加入者も、アクションオブジェクトのプロパティにアクセスすること、またはアクションオブジェクトのプロパティを作成または変更または削除することができる。アクションオブジェクトのプロパティを作成または変更するためには、以下に挙げるプロパティのうちの一方または両方の指定を必須とすることができる：callbackBody，callbackHeader，callbackMethod，callbackURI，icon，name。
【００７０】
発行者オブジェクトは、表３に列挙されたプロパティのうちの１つ、複数、または全てを有することができる。しかしながらもちろん、発行者オブジェクトは、さらに別のおよび／または代替的なプロパティを有することも可能である。
【表３】
2018207489.tif 000005
【００７１】
発行者オブジェクトには、例えばＧｅｔオペレーションによってアクセスすることができる。発行者オブジェクトは、例えばＰｏｓｔオペレーションによって作成することができる。この場合、アクションオブジェクトへのアクセスおよびアクションオブジェクトの作成は、リソースレベルで実施することができる。この場合、アクセスおよび作成を、通知マネージャによって実施可能にすることができる。しかしながら、車両通信ネットワークの他の加入者も、発行者オブジェクトにアクセスすること、または発行者オブジェクトを作成することができる。
【００７２】
発行者オブジェクトのプロパティには、例えばＧｅｔオペレーションによってアクセスすることができる。発行者オブジェクトのプロパティは、例えばＰｏｓｔオペレーションによって変更または作成することができる。このために、発行者オブジェクトを、ＵＵＩＤによってアドレス指定することができる。
【００７３】
この場合、アクションオブジェクトのプロパティへのアクセス、および／または、アクションオブジェクトのプロパティの作成／変更は、いわゆる要素レベルで実施することができる。この場合、アクセスおよび／または作成／変更を、通知マネージャによって実施可能にすることができる。しかしながら、車両通信ネットワークの他の加入者も、アクションオブジェクトのプロパティにアクセスすること、またはアクションオブジェクトのプロパティを作成または変更することができる。発行者オブジェクトのプロパティを作成または変更するためには、プロパティactiveの指定を必須とすることができる。
【００７４】
ホワイトリストオブジェクトは、表４に列挙されたプロパティのうちの１つ、複数、または全てを有することができる。しかしながらもちろん、ホワイトリストオブジェクトは、さらに別のおよび／または代替的なプロパティを有することも可能である。
【表４】
2018207489.tif 000006
【００７５】
ホワイトリストオブジェクトには、例えばＧｅｔオペレーションによってアクセスすることができる。ホワイトリストオブジェクトは、例えばＰｏｓｔオペレーションによって作成することができる。この場合、ホワイトリストオブジェクトへのアクセスおよびホワイトリストオブジェクトの作成は、リソースレベルで実施することができる。この場合、アクセスおよび作成を、通知マネージャによって実施可能にすることができる。しかしながら、車両通信ネットワークの他の加入者も、ホワイトリストオブジェクトにアクセスすること、またはホワイトリストオブジェクトを作成することができる。ホワイトリストオブジェクトを作成するためには、以下に挙げるプロパティのうちの１つ、複数、または全ての指定を必須とすることができる：allowedIssuer，name。
【００７６】
ホワイトリストオブジェクトのプロパティには、例えばＧｅｔオペレーションによってアクセスすることができる。ホワイトリストオブジェクトのプロパティは、例えばＰｏｓｔオペレーションによって変更または作成することができる。ホワイトリストオブジェクトのプロパティは、例えばＤｅｌｅｔｅオペレーションによって削除することができる。このために、ホワイトリストオブジェクトは、ＵＵＩＤによってアドレス指定することができる。
【００７７】
この場合、ホワイトリストオブジェクトのプロパティへのアクセス、ホワイトリストオブジェクトのプロパティの作成／変更、および／または、削除は、いわゆる要素レベルで実施することができる。この場合、アクセス、作成／変更、および／または、削除を、通知マネージャによって実施可能にすることができる。しかしながら、車両通信ネットワークの他の加入者も、ホワイトリストオブジェクトのプロパティにアクセスすること、またはホワイトリストオブジェクトのプロパティを作成または変更または削除することができる。ホワイトリストオブジェクトのプロパティを作成または変更するためには、以下に挙げるプロパティのうちの一方または両方の指定を必須とすることができる：allowedIssuers，name。
【００７８】
この場合、通知オブジェクト、アクションオブジェクト、発行者オブジェクト、および／または、ホワイトリストオブジェクトを、車両通信ネットワークの加入者によって作成することができる。さらに、これらのオブジェクトを他の加入者に、特に通知マネージャに伝送することができる。通知マネージャは、これらのオブジェクトを保存することができ、必要な場合には他の加入者に伝送することができる。この場合、通知マネージャによって保存された他のオブジェクト、またはそのプロパティには、他の加入者もアクセスすることが可能である。
【００７９】
さらなる実施形態では、前記通知マネージャは、選択された被通知側の加入者のみに前記通知データを伝送する。すなわち、この場合には、通知マネージャは、通知側の加入者によって伝送された通知データを、全ての被通知側の加入者に伝送するわけではなく、特に、例えば通知データを伝送するために通知マネージャに登録されている１つまたは複数の、ただし全部ではない被通知側の加入者のみに伝送することができる。
【００８０】
これに代えてまたはこれに加えて、前記通知マネージャは、被通知側の加入者に、前記通知データ全体のうちの加入者固有の部分のみを伝送する。すなわち、この場合には、通知マネージャは、被通知側の加入者に対して、通知側の加入者によって伝送された全ての通知データを伝送するのではなく、この通知データの加入者固有の部分のみを伝送することができる。この場合、例えば通知データのこの加入者固有の部分のみを伝送するために、被通知側の加入者を通知マネージャに登録することができる。
【００８１】
前記被通知側の加入者および／または前記加入者固有の部分の選択は、フィルタリングによって実施される。フィルタリングによって、通知データの符号化された内容を選択するのではなく、通知データの受信者または伝送すべき部分の一部のみを選択することが重要である。
【００８２】
この場合、複数の異なるフィルタリング基準を設けることができ、これらのフィルタリング基準は、選択される加入者、または伝送すべき加入者固有の部分を決定するために評価される。したがって、この選択を、例えば時刻に基づいて、車両乗員、例えば車両運転者の識別子に基づいて、現在の走行力学的変数、例えば速度に基づいて、または他の基準に基づいて実施することができる。したがって、例えば特定の車両運転者は、通知データの内容が表示装置のみから出力されるべきであって、オーディオ再生装置からは出力されるべきでないということを設定することができる。すなわち、この場合には、通知データを、視覚的な再生を実施または制御することができる加入者のみに伝送することができる。これに代えてまたはこれに加えて、視聴覚的な再生を実施または制御することができる加入者に対して、通知データのうちの、視覚的に出力可能な情報のみを符号化している部分のみを伝送することができる。
【００８３】
好ましくは、フィルタリングを、加入者によって作成されたホワイトリストオブジェクトに基づいて実施することができる。この場合、ホワイトリストオブジェクトを加入者から通知マネージャに伝送し、通知マネージャによって保存することができる。特に、その後、被通知側の加入者によって生成されたホワイトリストオブジェクトにおいて符号化されている情報に基づいて、被通知側の加入者を選択することができる。例えば、ある１つの被通知側の加入者は、通知データが、当該選択された加入者によって生成されたホワイトリストオブジェクトにプロパティ“allowedIssuers”の下で符号化されている加入者に由来する場合にのみ、選択されることができる。さらに、例えば被通知側の加入者に対して、通知データのうちの、当該加入者によって生成されたホワイトリストオブジェクトに別のプロパティの下で符号化されている部分のみを伝送することができる。
【００８４】
好ましい実施形態では、前記被通知側の加入者の選択、および／または、前記通知データのうちの加入者固有の部分の選択が、前記通知データの形式および／または内容に基づいて実施される。例えば、通知データによって符号化された情報が純粋なオーディオ情報であることが、特に通知マネージャによって検出された場合には、通知マネージャは、オーディオ情報を出力するために適している被通知側の加入者のみに通知データを伝送することができる。通知データが、例えば視覚的および音響的に出力可能な情報を符号化している場合には、通知マネージャは、通知データのうちの、視覚的に出力可能な情報を符号化している部分のみを、視覚的に出力可能な情報のみを伝送するために登録された被通知側の加入者に伝送することができる。
【００８５】
これによって有利には、所期のように、ひいてはより少ないデータを伝送するだけでよくなるので、車両通信ネットワークのより効率的な利用がもたらされる。
【００８６】
さらなる実施形態では、前記被通知側の加入者は、少なくとも１つのフィルタリング基準を前記通知マネージャに伝送する。フィルタリング基準は、フィルタリングのため、ひいては被通知側の加入者を選択するために評価される。例えばフィルタリング基準として、ある加入者がオーディオ情報の再生のみに適しているという情報を伝送することができる。そうすると、通知データがオーディオデータを符号化していない場合には、その加入者は選択されない。これによって有利には、同様にして車両通信ネットワークの効率的な動作がもたらされる。
【００８７】
例えば、被通知側の加入者は、当該被通知側の加入者に伝送すべき通知データを有する加入者に関する情報を符号化しているホワイトリストオブジェクトを伝送することができる。ホワイトリストオブジェクトには、通知データのうちの、被通知側の加入者に伝送すべき部分に関する情報を符号化することも可能である。
【００８８】
さらなる実施形態では、前記車両通信ネットワークの加入者間でのデータ伝送によって、ステートレス通信が実施される。
【００８９】
このようなステートレス通信は、冒頭で挙げた独国特許出願公開第１０２０１４２０１９４８号明細書（DE 10 2014 201 948 A1）に記載されており、その開示内容は、本明細書において全範囲にわたって参照される。
【００９０】
ステートレスとは、特に、完全なクライアント側の要求のデータ、および／または、完全なサーバ側の応答のデータが、それぞれ正確に１つの伝送プロセスで伝送されることを意味することができる。この場合、サーバ側の応答は、クライアント側の要求に対する応答とすることができ、このような応答を、呼応する応答と呼ぶこともできる。特に、ステートレスとは、少なくとも１つのサーバ側のオペレーションを実行するために必要とされる全ての情報が、クライアントからサーバへと正確に１つの伝送プロセスで伝送されることを意味することもできる。さらに、ステートレスとは、少なくとも１つのクライアント側のオペレーションを実行するために必要とされる全ての情報が、サーバからクライアントへと正確に１つの伝送プロセスで伝送されることを意味することができる。さらに、ステートレスとは、サーバによって要求されたオペレーションを確認するために必要とされる全ての情報が、クライアントからサーバへと正確に１つの伝送プロセスで伝送されることを意味することもできる。さらに、ステートレスとは、クライアントによって要求されたオペレーションを確認するために必要とされる全ての情報が、サーバからクライアントへと正確に１つの伝送プロセスで伝送されることを意味することもできる。これによって特に、クライアント側の要求もサーバ側の応答も、これまで通例であったような複数の伝送プロセスを含むシーケンスで伝送する必要がもはやなくなる。この場合、ただ１つの伝送プロセスは、クライアントおよびサーバにおけるステートの同期のために必要とされるシーケンス全体の一部を意味する。
【００９１】
この場合、要求、特にクライアント側の要求は、例えば読み取り要求、書き込み要求、または削除要求とすることができ、これらの要求は、それぞれサーバ側またはクライアント側において、読み取りオペレーション、書き込みオペレーション、または削除オペレーションをトリガする。この場合、書き込み要求を、作成要求または更新要求とすることができる。特に、上述したログインプロセスにおける少なくとも１つの要求および／または応答、すなわちアドレス保存要求、サービスカテゴリ要求、サービス実行要求、サービス要求、および対応する応答を、ステートレスデータ伝送の要求および応答とすることもできる。
【００９２】
換言すれば、ステートレスとは、加入者が、別の加入者のステートに関する情報を必要とせずに、この別の加入者と共に所期の目的のため、例えばサービスを利用するためにデータ伝送を実施することを意味することもできる。また、ステートレスとは、加入者が１つの伝送プロセスで伝送された情報に基づいてオペレーションを実行することができ、それ以上の知識を必要としないこと、特に以前に実施された通信プロセスおよび／またはその時に伝送された情報に関する知識を必要としないことを意味することもできる。
【００９３】
登録サーバによって／登録サーバにおいて、サービスカテゴリおよびサービスカテゴリに対応付けられたサービスアドレスを呼び出し可能に保存する代わりに、サーバによって車両通信ネットワークを介して提供することができるサービスの検出を、いわゆるマルチキャスト方法によって実施することも可能である。この場合、加入者は、当該加入者によって提供されるサービスに関する情報、特にその機能に関する情報、および／または、これに対応するサービスカテゴリ、ならびにこれに対応付けられたサービスアドレスを、車両通信ネットワークの全ての加入者に、例えば定期的に伝送することができる。この場合には、加入者は、対応する情報を保存しておき、その後、サービスを検出して実施するためにこの情報を利用することができる。このことを、例えばＳＯＭＥ／ＩＰ規格によって実施することができる。
【００９４】
さらに、複数の加入者を含む、車両通信ネットワークであって、前記車両通信ネットワークの少なくとも１つの加入者は、車両内に配置された車両加入者である、車両通信ネットワークが提案される。この場合、複数の加入者同士を、データ技術的に車両通信ネットワークを介して接続することができる。この場合、データ技術的な接続は、有線式または無線式の接続とすることができる。
【００９５】
本発明によれば、前記車両通信ネットワークの１つの加入者は、前記車両通信ネットワークの通知マネージャであるか、または、通知マネージャを提供する。好ましくは、前記車両加入者が、通知マネージャであるか、または、通知マネージャを提供する。さらに、前記車両通信ネットワークの通知側の加入者によって、前記通知マネージャに通知データを伝送することができ、前記通知マネージャによって、前記通知データの少なくとも一部を、前記車両通信ネットワークの少なくとも１つの被通知側の加入者に伝送することができる。
【００９６】
有利には、車両通信ネットワークを用いて、本開示に記載された実施形態の１つによる方法を実施可能である。したがって、このような方法が車両通信ネットワークを用いて実施可能となるように、車両通信ネットワークを構成またはコンフィギュレーションすることができる。
【００９７】
車両通信ネットワークは、少なくとも１つの車両加入者に加えて、別の車両加入者および／または別の車両外部の加入者、特に移動端末または車両外部のサーバ装置を含むこともできる。さらに、車両通信ネットワークは、データ中継装置またはデータ中継加入者を含むことができる。
【００９８】
さらに、本開示に記載された実施形態の１つによる車両通信ネットワークの加入者が提案される。この場合、前記加入者は、前記車両通信ネットワークの通知マネージャであるか、または、通知マネージャを提供する。前記加入者を、特に車両加入者とすることができる。
【００９９】
さらに、車両であって、前記車両は、車両通信ネットワークの少なくとも１つの車両加入者を含み、前記車両通信ネットワークの１つの加入者、特に前記車両加入者は、前記車両通信ネットワークの通知マネージャであるか、または、通知マネージャを提供する、車両が提案される。
【０１００】
本発明を、実施例に基づいてより詳細に説明する。
【図面の簡単な説明】
【０１０１】
【図１】本発明による車両通信ネットワークの概略ブロック図である。
【図２】本発明による車両の概略図である。
【発明を実施するための形態】
【０１０２】
以下では、同一の参照番号は、同一または類似の技術的特徴を有する要素を表す。
【０１０３】
図１は、車両通信ネットワーク１の概略ブロック図を示し、車両通信ネットワーク１は、６つの加入者Ｔ１，Ｔ２，Ｔ３，Ｔ４，Ｔ５，Ｔ６を含む。この場合、第１の加入者Ｔ１は車両加入者であり、通知マネージャとして構成されている。第２の加入者Ｔ２も同様に車両加入者であり、例えばオーディオ情報を音響的に再生するための制御装置である。第３の加入者Ｔ３も同様に車両加入者であり、例えば車両２（図２参照）の表示／入力装置、例えばいわゆるタッチスクリーンのための制御装置である。
【０１０４】
第４の加入者Ｔ４も同様に車両加入者であり、例えば車両２内の表示装置、例えばヘッドアップディスプレイの制御装置である。
【０１０５】
第５の加入者Ｔ５も同様に車両加入者であり、例えば車両内のスピーカのための制御装置とすることができる。
【０１０６】
第６加入者Ｔ６は、車両外部の加入者であり、例えば移動無線機器として構成されている。
【０１０７】
加入者Ｔ１，Ｔ２，Ｔ３，Ｔ４，Ｔ５，Ｔ６は、車両通信ネットワーク１を介してサービスを提供することができる。したがって、加入者Ｔ１，．．．，Ｔ６を、サーバとして構成することができる。もちろん、特に加入者Ｔ１，．．．，Ｔ６が、図示されていない別のサーバのサービスを使用する場合には、これらの加入者Ｔ１，．．．，Ｔ６をクライアントとすることもできる。
【０１０８】
車両通信ネットワーク１内の加入者Ｔ１，．．．，Ｔ６同士は、データ技術的に接続されており、特に例えばバスシステムを介して有線式に接続されているか、または、無線接続式にされている。
【０１０９】
図１に示された実施例では、第２の加入者Ｔ２および第６の加入者Ｔ６は、車両通信ネットワーク１の通知側の加入者である。第３、第４、第５の加入者Ｔ３，Ｔ４，Ｔ５および第６の加入者Ｔ６は、車両通信ネットワークの被通知側の加入者である。したがって、通知側の加入者Ｔ６を、被通知側の加入者Ｔ６とすることも可能である。被通知側の加入者Ｔ３，Ｔ４，Ｔ５，Ｔ６を、そのようなものとして通知マネージャに登録することができる。
【０１１０】
第５の加入者Ｔ５によって、通知データＮＤにおいて符号化されている情報の少なくとも一部の、ユーザへの音響的な出力を実施または制御することができる。第３および第４の加入者Ｔ３，Ｔ４によって、通知データＮＤにおいて符号化されている情報の少なくとも一部の、例えば視覚的に認識可能な表現の形態での、ユーザへの光学的な出力を実施することができる。第６の加入者Ｔ６によって、このような光学的な出力を実施することも可能である。例えば、第３、第４、および第６の加入者Ｔ３，Ｔ４，Ｔ６は、表示装置に、例えばディスプレイに情報を表示することができる。
【０１１１】
例えば第６の加入者Ｔ６は、テキストメッセージ、例えばＳＭＳを受信して、受信した後に通知データＮＤを通知マネージャＴ１に伝送することが可能であり、この通知データＮＤは、ショートメッセージのテキスト情報を符号化している。
【０１１２】
通知マネージャ１は、第６の加入者Ｔ６からこの通知データＮＤを受信すると、この通知データＮＤを第３、第４、第５の加入者Ｔ３，Ｔ４，Ｔ５に伝送することができる。
【０１１３】
その後、例えば第３および第４の加入者Ｔ３，Ｔ４は、テキスト内容を、例えば対応する記号によって表示装置に出力することができる。第５の加入者Ｔ５は、テキスト内容を例えば音響的に出力することができる。
【０１１４】
この場合、第６の加入者Ｔ６によって伝送された通知データＮＤを、通知マネージャＴ１に登録されている全ての被通知側の加入者Ｔ３，Ｔ４，Ｔ５に伝送することができるか、または、選択された被通知側の加入者Ｔ３，Ｔ４のみに伝送することができる。選択された加入者Ｔ３，Ｔ４のみに通知データＮＤを伝送する場合には、登録されている加入者Ｔ３，Ｔ４，Ｔ５の集合からの、被通知側の加入者Ｔ３，Ｔ４の選択を、フィルタリングに基づいて実施することができる。例えば、このフィルタリングは、通知データＮＤの内容に基づいて実施することができる。したがって、例えばテキストメッセージを、テキストの視覚的またはグラフィカルな表示を可能にする被通知側の加入者Ｔ３，Ｔ４のみに伝送することができる。すなわち、この場合には、通知マネージャＴ１から第５の加入者Ｔ５への通知データＮＤの伝送は実施されない。なぜなら、第５の加入者Ｔ５は、オーディオ出力のためにしか適していないからである。
【０１１５】
本実施例では、第６の加入者Ｔ６が、通知マネージャＴ１に登録されている被通知側の加入者でもあることに留意すべきである。しかしながら、登録されている被通知側の加入者が、通知マネージャによるデータ伝送時に通知側の加入者となっている場合には、この通知データＮＤを当該通知側の加入者に返送することは必須ではない。すなわち、この場合には、登録されている全ての被通知側の加入者の集合に、当該通知側の加入者を含めなくてもよい。
【０１１６】
第６の加入者Ｔ６によって伝送されるテキスト情報を、例えばいわゆるパッシブ通知データＮＤの形態で伝送することができる。この場合、通知データＮＤによって符号化される情報のうちの出力可能な部分は、通知反応に関する情報を含まない。
【０１１７】
これに対して、第２の加入者Ｔ２によって伝送される通知データは、少なくとも１つの通知反応に関する情報も符号化することができる。例えば、第２の加入者Ｔ２は、オーディオ内容のタイトルおよび／または他のプロパティに関する情報を符号化している通知データＮＤを、通知マネージャに伝送することができる。その後、これらの通知データＮＤを、通知マネージャ自体によって、登録されている全ての被通知側の加入者Ｔ３，Ｔ４，Ｔ５，Ｔ６に伝送することができるか、または、選択された被通知側の加入者に伝送することができる。
【０１１８】
さらに、これらの通知データＮＤは、実施可能な通知反応に関する情報、例えばオーディオ内容の出力の再生、一時停止、および停止に関する情報を符号化することもできる。特に、これらの通知データＮＤは、少なくとも１つのサービスアドレスに関する情報を符号化することができ、このサービスアドレスの下で、加入者、特に第２の加入者Ｔ２によって提供されるサービスを呼び出すことができる。サービスが呼び出されると、例えばオーディオ内容の再生、オーディオ内容の出力の停止、またはオーディオ内容の出力の一時停止を引き起こすことができる。
【０１１９】
この場合には、特に第３の加入者Ｔ３が、オーディオ内容、例えばタイトルおよび／または他のプロパティに関する情報を視覚的に出力することができる。さらに、第３の加入者Ｔ３は、実施可能な通知反応に関する情報を視覚的に出力することができる。このことは、例えば、通知反応に関して出力される情報を、ユーザによって操作可能な操作要素に、例えばキーまたはタッチスクリーンの入力領域に対応付けることによって実施することができる。
【０１２０】
対応する操作フィールドが操作されると、この操作も例えば第３の加入者Ｔ３によって検出することができ、その後、この第３の加入者Ｔ３は、対応する要求ＡＮを、通知データにおいて符号化されている、第２の加入者Ｔ２のサービスアドレスに伝送することによって、対応する通知反応をトリガすることができる。例えば、出力された“一時停止”反応に関する情報に対応付けられた操作要素が操作されると、第３の加入者Ｔ３から、一時停止サービスに対応付けられている第２の加入者Ｔ２のサービスアドレスに、要求ＡＮを伝送することができる。この場合には、第２の加入者Ｔ２は、オーディオ内容の出力を一時停止させる一時停止サービスを実施することができる。
【０１２１】
車両通信ネットワーク内の加入者Ｔ１，．．．，Ｔ６同士は、ステートレスに通信することができる。この場合、加入者Ｔ１，．．．，Ｔ６間でのデータ伝送がステートレス通信で実施される。
【０１２２】
図２は、車両２の概略図を示し、車両は、車両通信ネットワーク１の複数の車両加入者Ｔ１，Ｔ２，Ｔ３，Ｔ４，Ｔ５を含む。車両通信ネットワーク１はさらに、第６の加入者Ｔ６を含む。車両通信ネットワーク１内におけるデータ伝送のための構成および方法に関しては、図１の説明を参照することができる。
【０１２３】
さらに、第７の加入者Ｔ７も図示されており、この第７の加入者Ｔ７は、車両通信ネットワーク１の車両外部の加入者である。
【０１２４】
この場合、車両通信ネットワークの第１の加入者Ｔ１は、車両通信ネットワーク１の通知マネージャとして構成されているか、または、通知マネージャを提供する。
【符号の説明】
【０１２５】
１  車両通信ネットワーク
２  車両
Ｔ１  第１の加入者、通知マネージャ
Ｔ２  第２の加入者
Ｔ３  第３の加入者
Ｔ４  第４の加入者
Ｔ５  第５の加入者
Ｔ６  第６の加入者
Ｔ７  第７の加入者
ＮＤ  通知データ
ＡＮ  要求
【図１】
2018207489.tif 000007
【図２】
2018207489.tif 000008
【外国語明細書】
2018207489.tif 000009
2018207489.tif 000010
2018207489.tif 000011
2018207489.tif 000012
2018207489.tif 000013
2018207489.tif 000014
2018207489.tif 000015
2018207489.tif 000016
2018207489.tif 000017
2018207489.tif 000018
2018207489.tif 000019
2018207489.tif 000020
2018207489.tif 000021
2018207489.tif 000022
2018207489.tif 000023
2018207489.tif 000024
2018207489.tif 000025
2018207489.tif 000026
2018207489.tif 000027
2018207489.tif 000028
2018207489.tif 000029
2018207489.tif 000030
2018207489.tif 000031
2018207489.tif 000032
2018207489.tif 000033
2018207489.tif 000034
2018207489.tif 000035
2018207489.tif 000036
2018207489.tif 000037
2018207489.tif 000038
2018207489.tif 000039
2018207489.tif 000040
2018207489.tif 000041